(57)【要約】      （修正有）【課題】プラグ差込口を必要に応じて増減し得るコンセントバーの提供。【解決手段】電源供給コンセント１の後端開口部両外側面に設けた嵌合溝を、中間コンセントの先端開口縁両内側面に設けた嵌合突起に嵌合係止させて電源供給コンセント１と中間コンセント２０を接続し、中間コンセント２０の後端開口部両外側面に設けた嵌合溝を、終端コンセント４０の先端開口縁両内側面に設けた嵌合突起に嵌合係止させて中間コンセント２０と終端コンセント４０を着脱自在に接続し、各接続部に形成される溝口４，２２，４２に接続金具６０を嵌合螺子止めし、各コンセント１，２０，４０相互を完全接続する。【選択図】  図１
2006332013.tif 000002
【特許請求の範囲】
【請求項１】
合成樹脂からなる器台（２）の先端面に電線挿入孔（３）を設け、後端底面から両外側面に亘り接続金具嵌装溝（４）を設け、該底面及び両外側面に螺子孔（５）を穿設し、後端開口部両外側面に嵌合溝（６）を設け、開口縁底面（７）に一段立ち上がる段部（８）を形成し、該器台（２）内に刃受部（１１）を所定の間隔で設け両端に導体接続部（１２）を形成した複数条の刃受端子（１０）を収納し、器台（２）上にプラグ差込口（１７）を設けた中駒（１６）を所定の間隔で嵌着した蓋体（１５）を取り付けてなる電源供給コンセント（１）と、
合成樹脂からなる器台（２１）の両端底面から両外側面に亘り接続金具嵌装溝（２２）を設け、該底面及び両外側面に螺子孔（２３）を穿設し、先端開口縁両内側面に嵌合突起（２４）を設けると共に、後端開口部両外側面に嵌合溝（２５）を設け、該開口縁底面（２６）に一段立ち上がる段部（２７）を形成し、該器台（２１）内に刃受部（２９）を所定の間隔で設け両端に導体接続部（３０）を形成した複数条の刃受端子（２８）を収納し、器台（２１）上にプラグ差込口（３７）を設けた中駒（３６）を所定の間隔で嵌着した蓋体（３５）を取り付けてなる１乃至複数個の中間コンセント（２０）と、
合成樹脂からなる器台（４１）の先端底面から両外側面に亘り接続金具嵌装溝（４２）を設け、該底面及び両外側面に螺子孔（４３）を穿設し、先端開口縁両内側面に嵌合突起（４５）を設け、該器台（４１）内に刃受部（４７）を所定の間隔で設け先端に導体接続部（４８）を形成した複数条の刃受端子（４６）を収納し、器台（４１）上にプラグ差込口（５２）を設けた中駒（５１）を所定の間隔で嵌着した蓋体（５０）を取り付けた終端コンセント（４０）と、
底板（６０ａ）の長手方向中央部両側に設けた突出板を夫々直角に上方に折り曲げて側板（６０ｂ）を設け、該底板（６０ａ）及び側板（６０ｂ）に螺子挿通孔（６１）を穿設した断面コ状の接続金具（６０）とからなり、
電源供給コンセント（１）、中間コンセント（２０）、終端コンセント（４０）相互を着脱自在に順次接続し、各接続部を接続金具（６０）で抜け止め固定してなることを特徴とするコンセントバー。
【請求項２】
器台（７１）上に取り付ける蓋体（７２）に電気機器収納部（７３）を設けた電源供給コンセント（７０）と、前記１乃至複数個の中間コンセント（２０）及び終端コンセント（４０）を着脱自在に接続したことを特徴とするコンセントバー。
【発明の詳細な説明】
【技術分野】
【０００１】  本発明は使用目的に応じて中間コンセントの接続個数を任意に増減し得るコンセントバーを提供することを目的とする。
【背景技術】
【０００２】  従来、データセンター内等に使用される長尺のコンセントバーは、器台をアルミ引き出し成形、或いは、板金加工により一体形成し、内部を二重構造にして絶縁を確保するように構成されていた。
【発明の開示】
【発明が解決しようとする課題】
【０００３】  しかしながら、従来のコンセントバーにおいては、コンセントバーを構成する器台をアルミ引き出し成形、或いは、板金加工で形成し、さらに、内部を二重構造として絶縁を確保しなければならないために製造が面倒なばかりでなく、プラグ差込口の個数が限定されてしまうために、例えば、プラグ差込口の数が８口から２４口を有するコンセントバーを各別に製造しなければならず、また、電流監視器やブレーカー等の電気機器を収納したコンセントバーは別個に製造しなければならないために、製品点数が多大となり、製品管理が極めて面倒である等の問題点があった。
【課題を解決するための手段】
【０００４】  本発明は、合成樹脂からなる器台２の先端面に電線挿入孔３を設け、後端底面から両外側面に亘り接続金具嵌装溝４を設け、該底面及び両外側面に螺子孔５を穿設し、後端開口部両外側面に嵌合溝６を設け、開口縁底面７に一段立ち上がる段部８を形成し、該器台２内に刃受部１１を所定の間隔で設け両端に導体接続部１２を形成した複数条の刃受端子１０を収納し、器台２上にプラグ差込口１７を設けた中駒１６を所定の間隔で嵌着した蓋体１５を取り付けてなる電源供給コンセント１と、【０００５】  合成樹脂からなる器台２１の両端底面から両外側面に亘り接続金具嵌装溝２２を設け、該底面及び両外側面に螺子孔２３を穿設し、先端開口縁両内側面に嵌合突起２４を設けると共に、後端開口部両外側面に嵌合溝２５を設け、該開口縁底面２６に一段立ち上がる段部２７を形成し、該器台２１内に刃受部２９を所定の間隔で設け両端に導体接続部３０を形成した複数条の刃受端子２８を収納し、器台２１上にプラグ差込口３７を設けた中駒３６を所定の間隔で嵌着した蓋体３５を取り付けてなる１乃至複数個の中間コンセントと、【０００６】  合成樹脂からなる器台４１の先端底面から両外側面に亘り接続金具嵌装溝４２を設け、該底面及び両外側面に螺子孔４３を穿設し、先端開口縁両内側面に嵌合突起４５を設け、該器台４１内に刃受部４７を所定の間隔で設け先端に導体接続部４８を形成した複数条の刃受端子４６を収納し、器台４１上にプラグ差込口５２を設けた中駒５１を所定の間隔で嵌着した蓋体５０を取り付けた終端コンセント４０と、【０００７】  底板６０ａの長手方向中央部両側に設けた突出板を夫々直角に上方に折り曲げて側板６０ｂを設け、該底板６０ａ及び側板６０ｂに螺子挿通孔６１を穿設した断面コ状の接続金具６０とからなり、【０００８】  電源供給コンセント１、中間コンセント２０、終端コンセント４０を着脱自在に順次接続し各接続部を接続金具６０で固定するようにコンセントバーを構成した。【０００９】  器台７１上に取り付ける蓋体７２に電気機器収納部７３を設けた電源供給コンセント７０と、前記１乃至複数個の中間コンセント２０、前記終端コンセント４０を着脱自在に接続するようにコンセントバーを構成した。
【発明の効果】
【００１０】  本発明によれば、電源供給コンセント１、所要数の中間コンセント２０、終端コンセント４０を構成する器台２、器台２１、器台４１を合成樹脂で成形するので、従来のように器台内部を二重構造として絶縁を確保する必要がなく器台の製造が容易で、しかも、電源供給コンセント１、中間コンセント２０、終端コンセント４０を着脱自在に順次接続し、各接続部に形成される溝口Ａに接続金具６０を嵌装し螺子止め固定するだけの極めて簡単な作業で長尺のコンセントバーが得られるばかりでなく、中間コンセント２０の数を増減変更することで所望するプラグ差込口を有するコンセントバーを提供することができ、また、電流監視器やブレーカー等の電気機器を組み込んだコンセントバーを必要とする際には、電気機器収納部７３を設けた蓋体７２内に電気機器を収納した電源供給コンセント７０と前記電源供給コンセント１を単に交換するだけの極めて簡単な作業で提供することができ、しかも、製造及び製品管理が容易なことから安価に提供し得る等の優れた利点がある。
【発明を実施するための最良の形態】
【００１１】  以下、本発明を実施するための最良の形態を図面により説明する。
【実施例１】
【００１２】  図１は本発明の一実施の形態を示す斜視図で、１は電源供給コンセント、２０は中間コンセント、４０は終端コンセントで、各コンセント１、２０、４０は図６に示すように、着脱自在に一体状に嵌合接続される。６０は接続金具で、該接続金具６０は図７に示すように、電源供給コンセント１、中間コンセント２０、終端コンセント４０を嵌合接続させた際、電源供給コンセント１に設けた接続金具嵌装溝４及び中間コンセント２０の先端に設けた接続金具嵌装溝２２とで形成される溝口Ａ、中間コンセント２０の後端に設けた接続金具嵌装溝２２及び終端コンセント４０に設けた接続金具嵌装溝４２とで形成される溝口Ａに嵌装螺子止めされ、各コンセント間を確実に接続するものである。【００１３】  図２は電源供給コンセントを示す要部欠截平面図で、図において１は電源供給コンセント、２は電源供給コンセント１を構成する合成樹脂からなる器台、３は器台２の先端面に設けた電線挿入孔、４は図７に示すように器台１の後端底面から両外側面に亘り設けた接続金具嵌装溝で、この接続金具嵌装溝４の底面及び両外側面には螺子孔５が穿設されている。該接続金具嵌装溝４は、後述する中間コンセント２０を構成する器台２１の先端底面から両外側面に亘り設けた接続金具嵌装溝２２と連続し接続金具６０の形状を呈する溝口Ａを形成する。６は器台２の後端開口部両外側面に設けられた嵌合溝で、該嵌合溝６は後述する中間コンセント２０を構成する器台２１の先端開口縁両内側面に設けた嵌合突起２４に嵌合係止する。８は器台２の開口縁底面７を一段立ち上げて設けた段部（図６参照）で、この段部８には後述する中間コンセント２０の先端部底面が嵌入する。９は器台２内に収納された端子台、１０は刃受部１１を所定の間隔で設け両端に導体接続部１２を設けた複数条の刃受端子で、該刃受端子１０は前記端子台９と接続導体により電気的に接続する。１５は器台２上に取り付けた蓋体で、該蓋体１５には前記刃受端子１０に設けた刃受部１１に開口するプラグ差込口１７を設けた中駒１６が所定の間隔で嵌着している。【００１４】  図３は中間コンセントを示す要部欠截平面図で、図において２０は中間コンセント、２１は中間コンセント２０を構成する合成樹脂からなる器台、２２、２２は器台２１の両端底面から両外側面に亘り設けた接続金具嵌装溝でその底面及び両外側面には螺子孔２３（図７参照）が穿設され、器台２１の先端に設けた接続金具嵌装溝２２は前述したように電源供給コンセント１を構成する器台２の後端底面から両外側面に亘り設けた接続金具嵌装溝４と連続し接続金具６０の形状を呈する溝口Ａ（図７参照）を形成する。また、器台２１の後端底面から両外側面に設けた接続金具収納溝２２は、後述する終端コンセント４０の先端底面から両外側面に亘り設けた接続金具嵌装溝４２と連続し前述したように接続金具６０の形状を呈する溝口Ａを形成する。２４は器台２１の先端開口縁両内側面に設けた嵌合突起で、該嵌合突起２４には前述したように電源供給コンセント１を構成する器台２の後端開口部両外側面に設けた嵌合溝６が嵌合係止する。２５は器台２１の後端開口部両外側面に設けた嵌合溝で、該嵌合溝２５は後述する終端コンセント４０を構成する器台４１の先端開口縁両内側面に設けた嵌合突起４５に嵌合係止する。２７は後端開口部底面２６を一段立ち上げて設けた段部（図６参照）で、この段部２７には後述する終端コンセント４０を構成する器台４１の先端部底面が嵌入する。２８は器台２１内に収納された複数条の刃受端子で、該刃受端子２８には刃受部２９が所定の間隔で設けられ両端には導体接続部３０が設けられている。この刃受端子２８と、前記電源供給コンセント１を構成する器台２内に収納された刃受端子１０とは図６に示すように接続導体Ｃにより電気的に接続される。３５は蓋体で、該蓋体３５には刃受端子２８に設けた刃受部２９に開口するプラグ差込口３７を設けた中駒３６が所定の間隔で嵌着している。【００１５】  図４は終端コンセントを示す要部欠截平面図で、図において４０は終端コンセント、４１は終端コンセント４０を構成する合成樹脂からなる器台、４２は器台４１の先端底面から両外側面に亘り設けた接続金具収納溝でその底面及び両外側面には螺子孔４３（図７参照）が穿設されている。この接続金具収納溝４２は前述したように中間コンセント２０を構成する器台２１の後端底面から両外側面に亘り設けた接続金具収納溝２２と連続し接続金具６０の形状を呈する溝口Ａを形成する。４５は器台４１の先端開口縁両内側面に設けた嵌合突起で、該嵌合突起４５には前述したように中間コンセント２０を構成する器台２１に設けた嵌合溝２５が嵌合係止する。４６は器台４１内に収納された複数条の刃受端子で、該刃受端子４６には刃受部４７が所定の間隔で設けられ、先端には導体接続部４８が設けられている。この刃受端子４６は前述した中間コンセント２０を構成する器台２１内に収納された刃受端子２８と図６に示すように接続導体Ｃにより電気的に接続される。５０は合成樹脂からなる蓋体で、該蓋体５０には刃受端子４６に設けた刃受部４７に開口するプラグ差込口５２を設けた中駒５１が所定の間隔で嵌着されている。【００１６】  図５は接続金具を示す斜視図で、該接続金具６０は底板６０ａの長手方向中央部両側に設けた突出板を上方に直角に折り曲げて側板６０ｂを形成し、底板６０ａ及び側板６０ｂに螺子挿通孔６１を穿設して形成されている。この接続金具６０は図７に示すように電源供給コンセント１及び中間コンセント２０に設けられた接続金具嵌装溝４と接続金具嵌装溝２２とで形成される溝口Ａ、中間コンセント２０及び終端コンセント４０に設けられた接続金具嵌装溝２２と接続金具嵌装溝４２により形成された溝口Ａに嵌合螺子止めされ、電源供給コンセント１、中間コンセント２０、終端コンセント４０を連続一体に接続固定する。【００１７】  図６及び図７は組み立て工程を示す斜視図で、本発明のコンセントバーを組み立てるには、図６に示すように電源供給コンセント１を構成する器台２に設けた嵌合溝６を中間コンセント２０を構成する器台２１の先端開口縁両内側面に設けた嵌合突起２４に嵌合させて器台２と器台２１とを接続する。【００１８】  次いで、中間コンセント２０を構成する器台２１の後端開口部両外側面に設けた嵌合溝２５を終端コンセント４０を構成する器台４１に設けた嵌合突起４５に嵌合させて、器台２１と器台４１を接続する。【００１９】  ��いで、器台２、器台２１、器台４１内に収納された刃受端子１０、刃受端子２８、刃受端子４６相互を接続導体Ｃで電気的に接続する。【００２０】  然る後、図７に示すように器台２と器台２１、器台２１と器台４１に形成された溝口Ａにそれぞれ接続金具６０を嵌め込み螺子止め固定し、器台２、器台２１、器台４１を連続一体に接続固定する。最終的に器台２、器台２１、器台４１上に蓋体１５、蓋体３５、蓋体５０を取り付ける。【００２１】  而して、中間コンセント２０の形状は同一であることから、所望数の中間コンセントを電源供給コンセント１と終端コンセント４０間に配置することにより、顧客が要望するプラグ差込口を有するコンセントバーを極めて容易に作成し得る。
【実施例２】
【００２２】  図８は本発明の第２の実施の形態を示す斜視図で、この実施例においては、電源供給コンセント７０を構成する器台７１上に取り付ける蓋体７２に電流監視器やブレーカー等の電気機器を収納する電気機器収納部７３を上方に突設し、該電気機器収納部７３の上面に窓口７４を設けてコンセントバーを構成したものである。【００２３】  上記のように電源供給コンセント７０を構成することにより、該電源供給コンセント７０と、前述した電源供給コンセント１とを単に交換するだけの極めて簡単な作業で、電流監視器やブレーカー等の電気機器を備えたコンセントバーが得られる。【００２４】  上述したように本発明によれば、電源供給コンセント１、所要数の中間コンセント２０、終端コンセント４０を構成する器台２、器台２１、器台４１を合成樹脂で成形するので、その製造が極めて容易で、しかも、電源供給コンセント１、中間コンセント２０、終端コンセント４０相互を順次接続し、各接続部を接続金具６０で螺子止め固定するだけの極めて簡単な作業で長尺のコンセントバーが得られるばかりでなく、中間コンセント２０の数を増減変更することで所望するプラグ差込口を有するコンセントバーが得られる。【００２５】  また、電流監視器やブレーカー等の電気機器を組み込んだコンセントバーを必要とする場合には、蓋体７２に設けた電気機器収納部７３内に電流監視器やブレーカー等の電気機器を組み込んだ電源供給コンセント７０と上述した電源供給コンセント１を単に交換するだけの極めて簡単な作業で得られる。
【図面の簡単な説明】
【００２６】
【図１】本発明の実施の形態を示す斜視図
【図２】本発明の電源供給コンセントを示す要部欠截平面図
【図３】本発明の中間コンセントを示す要部欠截平面図
【図４】本発明の終端コンセントを示す要部欠截平面図
【図５】本発明の接続金具を示す斜視図
【図６】組み立て状態を示す要部欠截斜視図
【図７】組み立て状態を示す分解斜視図
【図８】本発明の第２の実施の形態を構成する電源供給コンセントを示す斜視図
【符号の説明】
【００２７】    １  電源供給コンセント                        ２  器台
３  電線挿入孔                                ４  接続金具嵌装溝
５  螺子孔                                    ６  嵌合溝
７  開口縁底面                                ８  段部
１０  刃受端子                                １１  刃受部
１２  導体接続部                              １５  蓋体
１６  中駒                                    １７  プラグ差込口
２０  中間コンセント                          ２１  器台
２２  接続金具嵌装溝                          ２３  螺子孔
２４  嵌合突起                                ２５  嵌合溝
２６  開口縁底面                              ２７  段部
２８  刃受端子                                ２９  刃受部
３０  導体接続部                              ３５  蓋体
３６  中駒                                    ３７  プラグ差込口
４０  終端コンセント                          ４１  器台
４２  接続金具嵌装溝                          ４３  螺子孔
４５  嵌合突起                                ４６  刃受端子
４７  刃受部                                  ４８  導体接続部
５０  蓋体                                    ５１  中駒
５２  プラグ差込口
６０  接続金具                              ６０ａ  底板
６０ｂ  側板                                    ６１  螺子挿通孔
７０  電源供給コンセント                      ７１  器台
７２  蓋体                                    ７３  電気機器収納部
【図１】
2006332013.tif 000003
【図２】
2006332013.tif 000004
【図３】
2006332013.tif 000005
【図４】
2006332013.tif 000006
【図５】
2006332013.tif 000007
【図６】
2006332013.tif 000008
【図７】
2006332013.tif 000009
【図８】
2006332013.tif 000010